(57)【要約】【課題】水着けローラ上のエマルジョン濃度の均一化を改善する。【解決手段】印刷機２４は、版胴２２と、第１のローラ１と、第２のローラ２と、第３のローラ３と、第４のローラ４と、水着けローラ１６と、を有し、第１のローラ１が水着けローラ１６、第３のローラ３、および第４のローラ４に当接し、第２のローラ２が水着けローラ１６に当接し、水着けローラ１６が版胴２２に当接するローラ切換位置を有している。このローラ切換位置において、第２のローラ２も第３のローラ３に当接している。【選択図】  図１
2006062363.tif 000002
【特許請求の範囲】
【請求項１】
版胴（２２）と、第１のローラ（１）と、第２のローラ（２）と、第３のローラ（３）と、第４のローラ（４）と、水着けローラ（１６）と、を有し、前記第１のローラ（１）が前記水着けローラ（１６）、前記第３のローラ（３）、および前記第４のローラ（４）に当接し、前記第２のローラ（２）が前記水着けローラ（１６）に当接し、前記水着けローラ（１６）が前記版胴（２２）に当接するローラ切換位置を有する印刷機（２４）において、
前記ローラ切換位置において、前記第２のローラ（２）も前記第３のローラ（３）に当接していることを特徴とする印刷機。
【請求項２】
前記第３のローラ（３）は、前記ローラ切換位置において、前記第１のローラ（１）および前記第２のローラ（２）にのみ当接している、請求項１に記載の印刷機。
【請求項３】
前記第３のローラ（３）は、前記ローラ切換位置において、第５のローラ（５）に当接している、請求項１に記載の印刷機。
【請求項４】
前記第５のローラ（５）は、横振り運動をするインキ練りローラである、請求項３に記載の印刷機。
【請求項５】
歯車（２５）が前記第５のローラと同軸に配置されており、前記第５のローラ（５）は前記歯車を介して回転駆動される、請求項３または４に記載の印刷機。
【請求項６】
前記第１のローラ（１）は、横振り運動をするインキ練りローラである、請求項１から５のいずれか１項に記載の印刷機。
【請求項７】
歯車（２６）が前記第１のローラ（１）と同軸に配置されており、前記第１のローラ（１）は前記歯車を介して回転駆動される、請求項１から６のいずれか１項に記載の印刷機。
【請求項８】
前記第４のローラはインキ着けローラ（１３，１４）であり、前記ローラ切換位置において前記版胴（２２）に当接している、請求項１から７のいずれか１項に記載の印刷機。
【発明の詳細な説明】
【技術分野】
【０００１】
本発明は、請求項１の前提項に記載されている、版胴と、第１のローラと、第２のローラと、第３のローラと、第４のローラと、水着けローラと、を有し、第１のローラが水着けローラ、第３のローラ、および第４のローラに当接し、第２のローラが水着けローラに当接し、水着けローラが版胴に当接するローラ切換位置を備える印刷機に関するものである。
【背景技術】
【０００２】
最も近い従来技術である特許文献１において、第２のローラは水着けローラにのみ当接する。しかしその後、そのようなローラ配列が、一方では、水着けローラ上の様々なエマルジョン濃度の均一化に関して、また他方では、インキ装置における湿し水と印刷インキの間の、安定したバランスの迅速な調整に関して、まだ改良の必要があることが判明している。
【０００３】
比較的遠い従来技術である特許文献２において、第１のローラは水着けローラおよび第３のローラにしか当接しない。
【０００４】
特許文献３、特許文献４、および特許文献５は、さらに遠い従来技術である。
【特許文献１】独国特許出願公開第１９９１１５６８号明細書
【特許文献２】独国特許第１９５０１１４６号明細書
【特許文献３】独国特許第３４３４６４７号明細書
【特許文献４】独国特許出願公開第３７０６６０２号明細書
【特許文献５】独国実用新案登録出願第８７１６８４７号明細書
【発明の開示】
【発明が解決しようとする課題】
【０００５】
本発明の目的は、水着けローラ上のエマルジョン濃度がより徹底的に均一化される、冒頭に述べた分野に属する印刷機を提供することにある。
【課題を解決するための手段】
【０００６】
この目的は、請求項１の特徴を備える印刷機によって達成される。
【０００７】
本発明による印刷機は、版胴と、第１のローラと、第２のローラと、第３のローラと、第４のローラと、水着けローラを含んでいる。さらに、本発明による印刷機の、上述したローラは、第１のローラが水着けローラ、第３のローラ、および第４のローラに当接し、したがって、様々な３つのローラに同時に当接するローラ切換位置を設定できるようになっている。さらに、印刷機の、上述のローラ切換位置には、そのローラ切換位置において第２のローラが水着けローラに当接し、水着けローラが版胴に当接しているという特徴がある。このローラ切換位置の特徴は、そのローラ切換位置において、第１のローラの他に第２のローラも第３のローラに当接することである。すなわち、上述のローラ切換位置では、両方のローラ、すなわち第１のローラと第２のローラは水着けローラにも、同時に第３のローラにも当接している。
【０００８】
前述したローラ切換位置を設定するには、上述した各ローラを位置調節する必要は必ずしもなく、例えば、第１のローラを定置に支持することができ、その結果、第１のローラは、ローラ切換位置を設定するときに一緒に位置調節されない。例えば、水着けローラを、版胴に当接させ、離すことができるように支持することができ、この場合、前述のローラ切換位置を設定するために、水着けローラが版胴に当接させられる。前述のローラ切換位置を設定するために前述したローラのうちの複数が位置調節される場合、これらのローラの位置調節を同時に、または順次行うことができる。
【０００９】
本発明の印刷機の、付加的な利点は、インキ装置において印刷インキと湿し水が、安定したバランスにきわめて迅速に調整されることである。
【００１０】
本発明による印刷機の、以下に個々に簡潔に説明する他の態様が従属請求項に記載されている。
【００１１】
一態様では、第３のローラは、前述のローラ切換位置において、第１のローラおよび第２のローラ以外の他のどのローラとも当接していない。
【００１２】
他の態様では、第３のローラは、前述のローラ切換位置において、第１のローラおよび第２のローラばかりでなく、さらに第５のローラに同時に当接している。
【００１３】
他の態様によれば、この第５のローラを、軸方向へ往復運動をするインキ練りローラとすることができる。
【００１４】
他の態様は、前述した第５のローラと歯車が、第５のローラの回転を歯車を介して生じさせることができるように、互いに同軸に配置されていることを内容としている。したがって、第５のローラは嵌合によって回転駆動される。
【００１５】
他の態様では、第１のローラは軸方向へ往復運動をするインキ練りローラである。
【００１６】
他の態様によれば、歯車が第１のローラと同軸に配置され、この歯車を介して第１のローラが回転駆動される。それにより、第１のローラの回転の、嵌合による駆動が歯車によって可能になる。
【００１７】
他の態様では、第４のローラはインキ着けローラであり、第４のローラは、前述したローラ切換位置において版胴に当接している。
【発明を実施するための最良の形態】
【００１８】
次に、本発明の実施の形態について図面を参照して説明する。
【００１９】
図１から図６において、互いに対応する構成部品には同じ符号が付されている。
【００２０】
図１は、版胴２２と、インキ装置２０と、湿し装置２１を含むオフセット印刷ユニット２３を備える印刷機２４を示している。
【００２１】
インキ装置２０と湿し装置２１は、図１に示す、印刷動作のための第１のローラ切換位置において、第１のローラ１および第２のローラ２を介して互いに接続されている。第１のローラ１は第１のインキ練りローラであり、第２のローラ２は第１の転移ローラである。インキ装置２０は第３のローラ３と第４のローラ４をさらに含んでいる。第３のローラ３は第２の転移ローラであり、第４のローラ４は第１のインキ着けローラである。さらに、インキ装置２０は第２のインキ練りローラとしての第５のローラ５と、第３のインキ練りローラ６と、第４のインキ練りローラ７を含んでいる。
【００２２】
各インキ練りローラ、すなわち第１のローラ１、第５のローラ５、第３のインキ練りローラ６、および第４のインキ練りローラ７のそれぞれの回転が、この例では第１のローラ１と回転不能に結合された歯車２６、および第２のインキ練りローラ５と回転不能に結合された歯車２５が示されているように、嵌合によって生じさせられる。各インキ練りローラ、すなわち第１のローラ１、第５のローラ５、第３のインキ練りローラ６、および第４のインキ練りローラ７のそれぞれの、軸方向の横振り運動も嵌合によって生じさせられ、摩擦によって生じさせられるのではない。
【００２３】
インキ装置２０は、第３の転移ローラ１０と、第４の転移ローラ１１と、第５の転移ローラ１２を含んでいる。各転移ローラ、すなわち第２のローラ２、第３のローラ３、第３の転移ローラ１０、第４の転移ローラ１１、および第５の転移ローラ１２のそれぞれは、図１に示す第１のローラ切換位置において、隣接する少なくとも２つのローラと同時に当接している。最後に、インキ装置２０はインキ出しローラ１５と、インキ移しローラ９と、第２のインキ着けローラ１３と、第３のインキ着けローラ１４を含んでいる。
【００２４】
湿し装置２１は、水着けローラ１６と、水元ローラ１９と、第１のローラ切換位置において転移ローラとして水着けローラ１６と水元ローラ１９に同時に当接する調量ローラ１８と、永続的に、すなわちどのローラ切換位置においても、水着けローラ１６のみに当接している水振りローラ１７を含んでいる。水振りローラ１７の回転も横振り運動も嵌合によって生じさせられる。第１のローラ切換位置において版胴２２に当接する着けローラ、すなわち第４のローラ４、第２のインキ着けローラ１３、第３のインキ着けローラ１４、および水着けローラ１６と、転移ローラ、すなわち第２のローラ２、第３のローラ３、第３の転移ローラ１０、第４の転移ローラ１１、および第５の転移ローラ１２は、ゴム弾性を有する外周面をそれぞれ有しており、外周面の摩擦のみによってそれぞれ回転駆動される。第１のローラ１は、隣接する２つのローラ、すなわち水着けローラ１６および第３のローラ３に同時に永続的に当接している。第２のローラ２は水着けローラ１６に永続的に当接している。
【００２５】
印刷動作のための第１のローラ切換位置、および図２に示す第２のローラ切換位置において、第２のローラ２は水着けローラ１６だけでなく、第３のローラ３にも同時に当接している。印刷動作のための第１のローラ切換位置、および図３に示す第３のローラ切換位置において、第１のローラ１は、隣接する３つのローラ、すなわち水着けローラ１６、第３のローラ３、およびさらに第４のローラ４に同時に当接している。
【００２６】
図１に示す第１のローラ切換位置の特徴は、第３のローラ３が、したがってインキ装置２０が、並列して接続された２つのローラ、すなわち第１のローラ１と第２のローラ２を介して、水着けローラ１６に、したがって湿し装置２１に連結されて、いわゆるインキ・湿し装置を形成していることである。この際、第１のローラ１と第２のローラ２はいわゆるバイパスローラとして、インキ装置ローラである第３のローラ３と湿し装置ローラである水着けローラ１６の間に配置されている。
【００２７】
湿し装置２１は、水着けローラ１６を第１のローラ１から離すことによって、第１のローラ切換位置（図１参照）から第２のローラ切換位置（図２参照）に切り換えることができ、第２のローラ２を第３のローラ３から離すことによって、第１のローラ切換位置（図１参照）から第３のローラ切換位置（図３参照）に切り換えることができる。
【００２８】
図４は、他のローラ切換位置と同様に各印刷ジョブの必要に応じて選択的に設定可能な、湿し装置２１がインキ装置２０から切り離された、印刷動作のための第４のローラ切換位置を示している。第４のローラ切換位置において、水着けローラ１６は第１のローラ１から離され、第２のローラ２は第３のローラ３から離されている。
【００２９】
図５は、以下に説明する違いを除いて第１の実施形態と同じである、印刷機２４の第２の実施形態を示している。第２の実施形態では、印刷機２４は、図５に図示する、印刷動作のためのただ１つのローラ切換位置と、印刷動作とは異なる動作モードのための、例えば印刷中断やいわゆる事前湿しのための、１つまたは複数の他のローラ切換位置を有している。第２の実施形態では、第３のローラ３は、第１の実施形態もそうであるように、第１のローラ１および第２のローラ２と当接しているが、第５のローラ５には当接していない。第５のローラ５には、第１のローラ１および第４の転移ローラ１１とも当接している第６の転移ローラ２７が当接している。すなわち、第６の転移ローラ２７は、隣接する３つのローラ、すなわち第１のローラ１、第５のローラ５、および第４の転移ローラ１１に同時に当接している。
【００３０】
図６は、第６の転移ローラ２７が第１のローラ１にもはや当接していないことによってのみ第２の実施形態（図５参照）と異なる、印刷機２４の第３の実施形態を示している。ただし、第３の実施形態では、第６の転移ローラ２７はやはり第５のローラ５と同時に、第４の転移ローラ１１に当接している。
【図面の簡単な説明】
【００３１】
【図１】本発明によるローラ切換位置において第３のローラが第５のローラに当接している、第１の実施形態を示す図である。
【図２】本発明によるローラ切換位置において第３のローラが第５のローラに当接している、第１の実施形態を示す図である。
【図３】本発明によるローラ切換位置において第３のローラが第５のローラに当接している、第１の実施形態を示す図である。
【図４】本発明によるローラ切換位置において第３のローラが第５のローラに当接している、第１の実施形態を示す図である。
【図５】本発明によるローラ切換位置において第３のローラが第１のローラと第２のローラにのみ当接している、第２の実施形態を示す図である。
【図６】第２の実施形態の変形例である第３の実施形態を示す図である。
【符号の説明】
【００３２】
１    第１のローラ（第１のインキ練りローラ）
２    第２のローラ（第１の転移ローラ）
３    第３のローラ（第２の転移ローラ）
４    第４のローラ（第１のインキ着けローラ）
５    第５のローラ（第２のインキ練りローラ）
６    第３のインキ練りローラ
７    第４のインキ練りローラ
９    インキ移しローラ
１０    第３の転移ローラ
１１    第４の転移ローラ
１２    第５の転移ローラ
１３    第２のインキ着けローラ
１４    第３のインキ着けローラ
１５    インキ出しローラ
１６    水着けローラ
１７    水振りローラ
１８    調量ローラ
１９    水元ローラ
２０    インキ装置
２１    湿し装置
２２    版胴
２３    オフセット印刷ユニット
２４    印刷機
２５，２６    歯車
２７    第６の転移ローラ
【図１】
2006062363.tif 000003
【図２】
2006062363.tif 000004
【図３】
2006062363.tif 000005
【図４】
2006062363.tif 000006
【図５】
2006062363.tif 000007
【図６】
2006062363.tif 000008